(57)【要約】【課題】ハンドオーバーの実行を容易に知ることができる印刷装置を提供すること。【解決手段】プリンター３（印刷装置）は、記録紙２０ａに印刷を行う通信情報印刷部３９と、複数の通信設定情報と電波強度閾値とを記憶する記憶部３４と、無線通信により、通信設定情報に基づきアクセスポイント（通信先）５を探索し、複数のアクセスポイント５が探索された場合、電波強度が一番強い第１アクセスポイント５と通信を確立する第１通信部３１とを備える。第１通信部３１は、第１アクセスポイント５の電波強度が電波強度閾値を下回った場合に探索を開始し、第１アクセスポイント５より電波強度が強い第２アクセスポイント５が探索された場合、第２アクセスポイント５と通信を確立し、通信情報印刷部３９は、第２アクセスポイント５と通信が確立した場合に、第２アクセスポイント５との間の通信情報を印刷する。【選択図】図２
2018137657.tif 000002
【特許請求の範囲】
【請求項１】
記録媒体に印刷を行う印刷部と、
複数の通信設定情報と電波強度閾値とを記憶する記憶部と、
無線通信により、前記通信設定情報に基づき通信先を探索し、複数の前記通信先が探索された場合、電波強度が一番強い第１通信先と通信を確立する通信部と、
を備え、
前記通信部は、前記第１通信先の電波強度が前記電波強度閾値を下回った場合に探索を開始し、前記第１通信先より電波強度が強い第２通信先が探索された場合、前記第２通信先と通信を確立し、
前記印刷部は、前記第２通信先と通信が確立した場合に、前記第２通信先との間の通信情報を印刷することを特徴とする印刷装置。
【請求項２】
前記印刷部は、前記通信部が探索を開始した時に探索を開始した旨の開始情報を印刷するとともに、前記通信部が探索を終了した時に探索を終了した旨の終了情報を印刷することを特徴とする請求項１に記載の印刷装置。
【請求項３】
前記通信情報は、前記第２通信先に関する通信設定情報と電波強度情報を含むことを特徴とする請求項１または２に記載の印刷装置。
【請求項４】
前記通信部は、前記通信先を探索した回数を前記記憶部に記憶し、
前記印刷部は、第２通信先との通信が確立した場合に、前記記憶部を参照して前記回数を印刷することを特徴とする請求項１から３のうちのいずれか一項に記載の印刷装置。
【請求項５】
前記記憶部は、前記通信情報を印刷するか否かの印刷設定情報を記憶保持しており、
前記印刷部は、前記印刷設定情報に基づいて前記通信情報を印刷することを特徴とする請求項１から４のうちのいずれか一項に記載の印刷装置。
【請求項６】
ＬＥＤを備え、
前記通信部は、前記電波強度閾値以上となる前記通信先が探索できない場合に、前記ＬＥＤを駆動してエラーが発生したことを報知することを特徴とする請求項１から５のうちのいずれか一項に記載の印刷装置。
【請求項７】
複数の通信設定情報に基づき通信先を探索して、複数の前記通信先が探索された場合に電波強度が一番強い第１通信先と通信を確立し、
前記第１通信先の電波強度が電波強度閾値を下回った場合に探索を開始して、前記第１通信先より電波強度が強い第２通信先が探索された場合、前記第２通信先との通信を確立して当該第２通信先との間の通信情報を印刷することを特徴とする印刷装置の制御方法。
【発明の詳細な説明】
【技術分野】
【０００１】
本発明は、無線ネットワークを介して他の機器との間で通信を行う印刷装置および印刷装置の制御方法に関する。
【背景技術】
【０００２】
店舗や倉庫などの施設内に無線ネットワークを構築する場合には、オペレーターとともに施設内を移動する携帯型の情報端末や携帯型のプリンターなどの各機器が常に無線ネットワークに接続できるように、複数のアクセスポイントを施設内に設置する。無線ネットワークに接続された各機器は、オペレーターの移動に伴って接続しているアクセスポイントの電波強度が所定の閾値を下回ると、電波強度が閾値以上の別のアクセスポイントを探索する。そして、各機器は、電波強度が閾値以上の別のアクセスポイントが検出されると、当該アクセスポイントに接続するハンドオーバー（ローミング）を行う。特許文献１には、ＩＥＥＥ８０２．１１の規格により規定される無線ネットワークにおいて、ハンドオーバーを行う情報機器が記載されている。
【先行技術文献】
【特許文献】
【０００３】
【特許文献１】特開２００２−２４４８２９号公報
【発明の概要】
【発明が解決しようとする課題】
【０００４】
携帯型のプリンターの中には、液晶パネルなどの文字を表示可能な表示部を備えていないものがある。このようなプリンターでは、プリンターにおいてハンドオーバーが行われたことをオペレーターが容易に認識することができない。従って、プリンターが移動したときにハンドオーバーが適切に行われるように、プリンターにおいて新たなアクセスポイントの探索を開始する電波強度の閾値の設定や、アクセスポイントの適切な配置を行うことが困難となっている。
【０００５】
本発明の課題は、印刷装置でハンドオーバーが行われたことを容易に知ることができる印刷装置および印刷装置の制御方法を提案することにある。
【課題を解決するための手段】
【０００６】
上記の課題を解決するために、本発明の印刷装置は、記録媒体に印刷を行う印刷部と、複数の通信設定情報と電波強度閾値とを記憶する記憶部と、無線通信により、前記通信設定情報に基づき通信先を探索し、複数の前記通信先が探索された場合、電波強度が一番強い第１通信先と通信を確立する通信部と、を備え、前記通信部は、前記第１通信先の電波強度が前記電波強度閾値を下回った場合に探索を開始し、前記第１通信先より電波強度が強い第２通信先が探索された場合、前記第２通信先と通信を確立し、前記印刷部は、前記第２通信先と通信が確立した場合に、前記第２通信先との間の通信情報を印刷することを特徴とする。
【０００７】
本発明によれば、第１通信先と接続されていた印刷装置が第２通信先に接続されると、すなわち、ハンドオーバーが行われると、印刷部は、第２通信先の通信情報を記録媒体に印刷する。従って、印刷装置とともに移動しているオペレーターは、印刷装置でハンドオーバーが行われたことを容易に知ることができる。また、オペレーターは、印刷された第２通信先の通信情報に基づいて、印刷装置が新たに接続した第２通信先を特定できる。これにより、オペレーターは、印刷装置において行われるハンドオーバーの頻度や場所を知ることができるので、印刷装置において新たな通信先の探索が開始される電波強度閾値を設定することや、アクセスポイントの適切な配置を行うことが容易となる。
【０００８】
本発明において、前記印刷部は、前記通信部が探索を開始した時に探索を開始した旨の開始情報を印刷するとともに、前記通信部が探索を終了した時に探索を終了した旨の終了情報を印刷することが望ましい。このようにすれば、オペレーターは、印刷装置において新たな通信先の探索の開始時点や終了時点を容易に知ることができる。
【０００９】
本発明において、前記通信情報は、前記第２通信先に関する通信設定情報と電波強度情報を含むことが望ましい。このようにすれば、オペレーターは、印刷装置がハンドオーバーによっていずれの通信先に接続されたかを把握できる。また、オペレーターは、印刷装置が新たに接続された通信先の電波強度を知ることができる。
【００１０】
本発明において、前記通信部は、前記通信先を探索した回数を前記記憶部に記憶し、前記印刷部は、第２通信先との通信が確立した場合に、前記記憶部を参照して前記回数を印刷することが望ましい。このようにすれば、オペレーターは、印刷装置で行われている通信先の探索の頻度を正確に把握できる。
【００１１】
本発明において、前記記憶部は、前記通信情報を印刷するか否かの印刷設定情報を記憶保持しており、前記印刷部は、前記印刷設定情報に基づいて前記通信情報を印刷することが望ましい。このようにすれば、例えば、無線ネットワークを新たに構築する際に、通信情報を印刷する旨の印刷設定情報を記憶部に記憶保持させておけば、印刷装置でハンドオーバーが行われるたびに、通信情報が印刷される。従って、印刷装置における電波強度閾値の設定や、クセスポイントの適切な配置を行うことが容易となる。一方、無線ネットワークが構築された後には、通信情報を印刷しない旨の印刷設定情報を記憶部に記憶保持させておけば、印刷装置でハンドオーバーが行われても通信情報が印刷されない。従って、通信情報の印刷によって通常の印刷ジョブの印刷が妨げられることを防止できる。
【００１２】
本発明において、ＬＥＤを備え、前記通信部は、前記電波強度閾値以上となる前記通信先が探索できない場合に、前記ＬＥＤを駆動してエラーが発生したことを報知するものとすることができる。このようにすれば、オペレーターは、ＬＥＤを確認することにより、ハンドオーバーが適切に行われなかったことを把握できる。
【００１３】
次に、本発明の印刷装置の制御方法は、複数の通信設定情報に基づき通信先を探索して、複数の前記通信先が探索された場合に電波強度が一番強い第１通信先と通信を確立し、前記第１通信先の電波強度が電波強度閾値を下回った場合に探索を開始して、前記第１通信先より電波強度が強い第２通信先が探索された場合、前記第２通信先との通信を確立して当該第２通信先との間の通信情報を印刷することを特徴とする。
【００１４】
本発明によれば、第１通信先から第２通信先へ接続を切り替えるハンドオーバーが行われると、印刷装置は第２通信先の通信情報を記録媒体に印刷する。従って、印刷装置とともに移動しているオペレーターは、印刷装置でハンドオーバーが行われたことを容易に知ることができる。これにより、オペレーターは、印刷装置において行われるハンドオーバーの頻度や場所を知ることができるので、印刷装置において新たな通信先の探索が開始される電波強度閾値を設定することや、アクセスポイントの適切な配置を行うことが容易となる。
【図面の簡単な説明】
【００１５】
【図１】本発明を適用したプリンターを備えるネットワークシステムの説明図である。
【図２】ネットワークシステムの制御系の概略ブロック図である。
【図３】プリンターにより印刷されるメッセージの説明図である。
【図４】プリンターにより印刷されるステータスシートの説明図である。
【図５】ハンドオーバーの確認動作のフローチャートである。
【発明を実施するための形態】
【００１６】
以下に図面を参照しながら本発明を適用した印刷装置を備えるネットワークシステムの実施形態を説明する。
【００１７】
（ネットワークシステム）
図１は本発明を適用した印刷装置を備えるネットワークシステムの説明図である。図２はネットワークシステムの制御系の概略ブロック図である。図３はプリンターにより印刷されるメッセージの説明図である。図４はプリンターにより印刷されるステータスシートの説明図である。本例のネットワークシステム１は店舗や倉庫などに施設内に構築されている。図１に示すように、ネットワークシステム１は、携帯型の情報端末２と、携帯型のプリンター３（印刷装置）と、情報端末２とプリンター３とを通信可能に接続する無線ネットワーク４を備える。情報端末２およびプリンター３はオペレーターが所持しており、オペレーターが施設内を移動するのに伴って、情報端末２、プリンター３は移動する。
【００１８】
無線ネットワーク４は、例えば、ＩＥＥＥ８０２．１１の規格により規定されるものである。無線ネットワーク４は、ＳＳＩＤ（Service Set Identifier）と、パスワードなどのセキュリティ設定とが同一の複数のアクセスポイント５を備える。
【００１９】
図２に示すように、情報端末２の制御系は、無線ネットワーク４に接続するための端末通信部１１と、ＣＰＵ、ＲＯＭ、ＲＡＭなどを備える端末制御部１２と、不揮発性のメモリーからなる端末記憶部１３と、を備える。端末記憶部１３には、予め、無線ネットワーク４に接続するための通信設定情報が記憶保持されている。すなわち、端末記憶部１３は通信設定情報として、無線ネットワーク４のＳＳＩＤと、無線ネットワーク４に接続するためのセキュリティ設定とを記憶保持している。
【００２０】
端末通信部１１は、端末記憶部１３から通信設定情報（ＳＳＩＤおよびセキュリティ情報）を取得して、この通信設定情報に基づいて、無線ネットワーク４との接続を確立する。端末制御部１２のＣＰＵでは、端末記憶部１３に記憶されているアプリケーションプログラムと、プリンタードライバープログラムとを読み出して実行し、情報端末２の各部を制御して各種動作をさせている。アプリケーションプログラムは、端末制御部１２を、印刷データを生成する印刷データ生成部１５として機能させる。プリンタードライバープログラムは端末制御部１２を、ネットワークを介してプリンター３を駆動制御して印刷データを印刷させるプリンタードライバー部１６として機能させる。すなわち、端末制御部１２は、アプリケーションプログラムと、プリンタードライバープログラムとが動作することにより、印刷データ生成部１５とプリンタードライバー部１６とを備える。
【００２１】
図１に示すように、プリンター３はロール紙２０から繰り出される長尺状の記録紙２０ａ（記録媒体）に印刷を行うロール紙プリンターである。プリンター３の筐体２４の上面には、排紙口２１、ＬＥＤ２２、および、電源スイッチ２３が設けられている。筐体２４の内部にはロール紙２０を収納するロール紙収納部２５が設けられている。また、筐体２４の内部には、記録紙２０ａに印刷を施す印刷ヘッド２６、記録紙２０ａを搬送するための搬送機構が収納されている。搬送機構は、ロール紙収納部２５から印刷ヘッド２６による印刷位置を経由して排紙口２１に至る経路に沿って記録紙２０ａを搬送する。搬送機構は駆動源として搬送モーター２７（図２参照）を備える。また、プリンター３は、筐体２４の側面に外部の機器を有線接続するための通信インターフェース２８を備える。本例では、通信インターフェース２８はＵＳＢ（Universal Serial Bus）である。
【００２２】
図２に示すように、プリンター３の制御系は、無線ネットワーク４に接続する第１通信部３１（通信部）と、ＵＳＢを介して外部の機器と通信する第２通信部３２と、ＣＰＵ、ＲＯＭ、ＲＡＭなどを備える制御部３３と、不揮発性のメモリーからなる記憶部３４と、を備える。制御部３３のＣＰＵは、記憶部３４に記憶されているファームウェアを読み出して実行し、プリンター３の各部を制御して各種動作をさせる。制御部３３は、第１通信部３１を介して、無線ネットワーク４に接続された情報端末２との間で通信を行う。また、制御部３３は、第２通信部３２を介してＵＳＢで接続された外部の機器との間で通信を行う。
【００２３】
制御部３３の入力側には電源スイッチ２３が接続されている。制御部３３の出力側には、不図示のドライバーを介して、ＬＥＤ２２、印刷ヘッド２６および搬送モーター２７が接続されている。記憶部３４には、予め、無線ネットワーク４に接続するための通信設定情報が記憶保持されている。すなわち、記憶部３４は、通信設定情報として、無線ネットワーク４のＳＳＩＤと、無線ネットワーク４に接続するためのセキュリティ設定とを記憶保持する。また、記憶部３４には、予め、プリンター３の動作モードを設定する動作モード設定情報（印刷設定情報）が記憶保持されている。
【００２４】
第１通信部３１は、記憶部３４から通信設定情報（ＳＳＩＤおよびセキュリティ情報）を取得する。また、第１通信部３１は、通信設定情報に基づいて、無線通信によってアクセスポイント５（通信先）を探索する。そして、第１通信部３１は、複数のアクセスポイント５が探索された場合、電波強度が一番強いアクセスポイント５との通信を確立する。
【００２５】
また、第１通信部３１は、接続しているアクセスポイント５の電波強度が電波強度閾値を下回った場合にアクセスポイント５の探索を開始し、接続しているアクセスポイント５よりも電波強度が強い別のアクセスポイント５が探索された場合に通信先を切り換え、当該アクセスポイント５との通信を確立する。さらに、第１通信部３１は、接続しているアクセスポイント５の電波強度が電波強度閾値を下回った場合にアクセスポイント５の探索を開始し、接続しているアクセスポイント５よりも電波強度が強い別のアクセスポイント５ができなかった場合には、ＬＥＤ２２を駆動して当該ＬＥＤ２２を点滅させて、無線ネットワーク４への接続エラー（通信エラー）が発生したことをオペレーターに報知する。ここで、第１通信部３１は、接続しているアクセスポイント５の電波強度が電波強度閾値を下回って別のアクセスポイント５の探索を開始するたびに、別のアクセスポイント５の探索を開始した回数を累計し、探索回数として、記憶部に記憶保持させる。探索回数はプリンター３に電源が投入される毎にリセットされる。なお、電波強度閾値は、通信設定情報とともに記憶部３４に記憶保持されている。
【００２６】
制御部３３は、印刷データ印刷部３６、通信設定部３７、通信情報取得部３８、通信情報印刷部３９（印刷部）、および、動作モード設定部４０を備える。
【００２７】
印刷データ印刷部３６は、無線ネットワーク４から第１通信部３１を介して印刷データを受け付けると、受信した印刷データを印刷する。また、印刷データ印刷部３６は、外部の機器から第２通信部３２を介して印刷データを受け付けると、受信した印刷データを印刷する。すなわち、印刷データ印刷部３６は、第１通信部３１または第２通信部３２を介して印刷データを受け付けると、搬送モーター２７を駆動して印刷ヘッド２６を経由するように記録紙２０ａを搬送するとともに、印刷ヘッド２６を駆動して、印刷位置を搬送される記録紙２０ａに印刷データを印刷する。
【００２８】
通信設定部３７は、第１通信部３１がアクセスポイント５の探索を開始する電波強度閾値を設定する。より具体的には、通信設定部３７は、第１通信部３１または第２通信部３２を介して外部の機器から閾値設定指令の入力を受けると、閾値設定指令に基づいて、電波強度閾値の設定を記憶部３４に記憶保持する。例えば、電波強度閾値を設定する際には、通信インターフェース２８（ＵＳＢ）を介してプリンター３にコンピューターを接続し、コンピューターからプリンター３に閾値設定指令を送信する。これにより、プリンター３には、第２通信部３２を介して閾値設定指令が入力される。閾値設定指令が入力されると、通信設定部３７は、閾値設定指令に基づいて、電波強度閾値を、高、中、低の３段階のいずれかに設定する。すなわち、通信設定部３７は、電波強度閾値として、高、中、低の３つの値のいずれかを記憶部３４に記憶保持する。
【００２９】
通信情報取得部３８は、アクセスポイント５と接続したときに、接続したアクセスポイント５の通信情報を取得する。通信情報には、アクセスポイント５の通信設定情報と、接続時点での電波強度情報と、アクセスポイント情報とが含まれる。本例では、通信設定情報は無線ネットワーク４のＳＳＩＤである。電波強度情報は電波密度である。アクセスポイント情報はアクセスポイント５のＭＡＣアドレスである。
【００３０】
通信情報印刷部３９は、アクセスポイント５の探索が開始されると、記録紙２０ａに、探索を開始した旨のメッセージ（開始情報）を印刷する。本例では、図３に示すように、通信情報印刷部３９は、第１通信部３１がアクセスポイント５の探索を開始すると、記録紙２０ａに［Background Scan Start］と印刷する。また、通信情報印刷部３９は、第１通信部３１がアクセスポイント５の探索を開始した後に新たなアクセスポイント５に接続すると（ハンドオーバーが行われると）、探索が終了して新たな接続が行われた旨のメッセージ（終了情報）と、アクセスポイント情報（ＭＡＣアドレス）とを記録紙２０ａに印刷する。例えば、通信情報印刷部３９は、第１通信部３１が新たなアクセスポイント５に接続すると、記録紙２０ａに［Connected to AA:BB:CC:FF:EE:FF]と印刷する。"Connected to"よりも後側の文字列がアクセスポイント情報である。
【００３１】
さらに、通信情報印刷部３９は、第１通信部３１がアクセスポイント５の探索の後に新たなアクセスポイント５に接続すると、ステータスシート４５を印刷する。ステータスシート４５には、通信情報が印刷される。ステータスシート４５に印刷される通信情報には、アクセスポイント５の通信設定情報である無線ネットワーク４のＳＳＩＤと、接続時点での電波強度情報である電波密度とが含まれる。また、通信情報印刷部３９は、記憶部３４を参照して、探索回数をステータスシート４５に印刷する。図４に示すステータスシート４５の例では、ＳＳＩＤは［RoamingTest］と印刷され、電波密度（AP Density）は［High］と印刷され、探索回数は「3」と印刷されている。なお、図４に示すステータスシート４５の例では、プリンター３においてハンドオーバー（ローミング）が可能であることを示すステータス（［Roaming:Enable］）なども印刷されている。
【００３２】
動作モード設定部４０は、記憶部３４に記憶保持された動作モード設定情報を参照してプリンター３の動作モードを、通信情報印刷オンモードと、通信情報印刷オフモードとの間で切り替える。通信情報印刷オンモードは、アクセスポイント５の探索の開始時や終了時にメッセージやステータスシート４５を印刷する動作モードであり、通信情報印刷オフモードは、これらのメッセージやステータスシート４５を印刷しない動作モードである。
【００３３】
また、動作モード設定部４０は、第１通信部３１または第２通信部３２を介して外部の機器から動作モード設定指令の入力を受けると、閾値設定指令に基づいて、記憶部３４に記憶保持された動作モード設定情報を書き換える。これにより、動作モード設定部４０はプリンターの動作モードを設定する。動作モード設定情報を書き換える際には、例えば、通信インターフェース２８（ＵＳＢ）を介してプリンター３にコンピューターを接続し、コンピューターからプリンター３に動作モード設定指令を送信する。これにより、プリンター３には、第２通信部３２を介して、動作モード設定指令が入力される。動作モード設定指令が入力されると、動作モード設定部４０は、入力された動作モード設定指令に基づいて、通信情報印刷オンモードの設定を示す情報か、通信情報印刷オフモードの設定を示す情報のいずれかを、動作モード設定情報として、記憶部３４に記憶保持する。
【００３４】
（ハンドオーバーの確認動作）
次に、図５を参照して、施設内に構築したネットワークシステム１において、プリンター３でハンドオーバーが適切に行われているかを確認する確認動作を説明する。図３は、ハンドオーバーの確認動作のフローチャートである。ここで、プリンター３の記憶部３４には、予め、通信設定情報、電波強度閾値、および、動作モード設定情報が記憶保持されているものとする。通信設定情報は無線ネットワーク４のＳＳＩＤおよびセキュリティ情報である。電波強度閾値は中であり、動作モード設定情報は、通信情報印刷オンモードの設定を示す情報である。
【００３５】
ハンドオーバーの確認動作では、まず、電源スイッチ２３をオンとしてプリンター３に電源を投入する。電源が投入されると、プリンター３は、設定情報（ＳＳＩＤおよびセキュリティ設定）に基づいて、アクセスポイント５を探索する。そして、プリンター３は、複数のアクセスポイント５が探索された場合、電波強度が一番強いアクセスポイント５（第１通信先）との通信を確立する（ステップＳＴ１）。
【００３６】
その後、オペレーターは、プリンター３を携帯して、施設内を移動する。ここで、プリンター３は、アクセスポイント５の電波強度がプリンター３に設定された電波強度閾値を下回るか否かを監視している（ステップＳＴ２）。そして、アクセスポイント５の電波強度が電波強度閾値を下回ると（ステップＳＴ２：Ｙｅｓ）、プリンター３は、別のアクセスポイント５の探索を開始する。また、この探索と並行して、プリンター３は、記録紙２０ａに探索を開始した旨のメッセージを印刷する（ステップＳＴ３）。
【００３７】
ここで、接続しているアクセスポイント５よりも電波強度が強い別のアクセスポイント５（第２通信先）が探索されると（ステップＳＴ４：Ｙｅｓ）、プリンター３はハンドオーバーを行う（ステップＳＴ５）。すなわち、プリンター３は、探索された別のアクセスポイント５との通信を確立する。また、プリンター３は、新たなアクセスポイント５との接続が確立されると、新たな接続が行われた旨（探索が終了した旨）のメッセージを、アクセスポイント５の通信情報（ＭＡＣアドレス）とともに、記録紙２０ａに印刷する（ステップＳＴ６）。さらに、通信情報印刷部３９はステータスシート４５を印刷する（ステップＳＴ７）。
【００３８】
一方、接続しているアクセスポイント５よりも電波強度が強い別のアクセスポイント５（第２通信先）が探索されず、新たなアクセスポイント５に接続できなかった場合には（ステップＳＴ４：Ｎｏ）、プリンター３（第１通信部３１）はＬＥＤ２２を駆動して当該ＬＥＤ２２を点滅させて、無線ネットワーク４への接続エラーが発生したことをオペレーターに報知する（ステップＳＴ８）。
【００３９】
このように、本例では、プリンター３の動作モードが通信情報印刷オンモードに設定されている場合には、プリンター３が新たなアクセスポイント５の探索を開始した時に、プリンター３は探索を開始した旨のメッセージを印刷する。また、プリンター３がアクセスポイント５の探索を終了した時に、プリンター３は探索を終了した旨のメッセージを印刷する。従って、プリンター３を携帯して施設内を移動するオペレーターは、プリンター３において新たなアクセスポイント５の探索の開始時点や終了時点を容易に知ることができる。
【００４０】
また、プリンター３は、ハンドオーバーを行うと、プリンター３は探索を終了した旨のメッセージに、アクセスポイント５の通信情報（ＭＡＣアドレス）を付加して、印刷する。従って、オペレーターは、プリンター３が接続したアクセスポイント５を特定できる。
【００４１】
さらに、プリンター３は、ハンドオーバーを行うと、ステータスシート４５を印刷する。ステータスシート４５には、無線ネットワーク４のＳＳＩＤ、電波密度、アクセスポイント５の探索の回数が印刷されている。従って、ステータスシート４５を見たオペレーターは、プリンター３で行われているアクセスポイント５の探索の頻度や、ハンドオーバーが行われた位置における電波密度を知ることができる。従って、オペレーターは、アクセスポイント５の探索の頻度および電波密度に基づいて、電波強度閾値を設定することや、アクセスポイント５の配置を変更することが容易となる。
【００４２】
例えば、アクセスポイント５の探索が頻繁に行われている場合には、オペレーターが電波強度閾値を中から低に下げることにより、その頻度を低下させることができる。また、ハンドオーバーが行われた位置における電波密度が高い場合には、ハンドオーバーされた２つのアクセスポイント５の間の距離を拡げるなどの、アクセスポイント５の再配置を行うことができる。
【００４３】
また、新たなアクセスポイント５を探索したにも関わらず、別のアクセスポイント５に接続できなかった場合（ハンドオーバーできなかった場合）には、プリンター３は、ＬＥＤ２２を点滅させて、接続エラーの発生をオペレーターに知らせる。従って、接続エラーが発生した位置に近い２つのアクセスポイント５の間の間隔を狭めるなどの、アクセスポイント５の再配置を行うことができる。
【００４４】
なお、ハンドオーバーが行われた後に、プリンター３が移動して、接続しているアクセスポイント５の電波強度が電波強度閾値を下回ると（ステップＳＴ２：Ｙｅｓ）、プリンター３は、再び、アクセスポイント５の探索を開始する。その後、ステップＳＴ３からステップＳＴ７の動作が繰り返される。
【００４５】
ここで、電波強度閾値の再設定や、アクセスポイント５の再配置が行われた後には、プリンター３の動作モードを通信情報印刷オフモードとする。これにより、その後、プリンター３では、新たなアクセスポイント５の探索を行った場合でも、プリンター３からアクセスポイント５の探索を開始した旨のメッセージや、探索を終了した旨のメッセージや、ステータスシート４５が印刷されることはない。従って、情報端末２から印刷データがプリンター３に送信されたときに、当該印刷データの印刷が妨げられることを防止できる。
【００４６】
（その他の実施の形態）
なお、第１通信部３１がアクセスポイント５の探索を開始した後に、接続しているアクセスポイント５よりも電波強度が強い別のアクセスポイント５ができなかった場合に（図４のステップＳＴ４：Ｎｏ）は、通信情報印刷部３９は接続エラーが発生した旨のメッセージを記録紙２０ａに印刷してもよい。
【００４７】
また、プリンター３（通信情報印刷部３９）は、第１通信部３１または第２通信部３２を介してステータシートを印刷するステータスシート印刷指令が入力された場合に、ステータシートを印刷してもよい。すなわち、情報端末２から無線ネットワーク４を介してプリンター３にステータスシート印刷指令が入力された場合、或いは、ＵＳＢを介してプリンター３に接続されたコンピューターからプリンター３にステータスシート印刷指令が入力された場合などに、ステータスシート４５を印刷してもよい。このようにすれば、オペレーターはステータスシート４５を所望のタイミングで取得することができる。
【００４８】
なお、プリンター３が文字を表示する表示部を備える場合には、通信情報印刷部３９は、記録紙２０ａに印刷する内容を表示部に出力して、表示させてもよい。
【符号の説明】
【００４９】
１…ネットワークシステム、２…情報端末、３…プリンター（印刷装置）、４…無線ネットワーク、５…アクセスポイント、１１…端末通信部、１２…端末制御部、１３…端末記憶部、１５…印刷データ生成部、１６…プリンタードライバー部、２０…ロール紙、２０ａ…記録紙、２１…排紙口、２２…ＬＥＤ、２３…電源スイッチ、２４…筐体、２５…ロール紙収納部、２６…印刷ヘッド、２７…搬送モーター、２８…通信インターフェース、３１…第１通信部（通信部）、３２…第２通信部、３３…制御部、３４…記憶部、３６…印刷データ印刷部、３７…通信設定部、３８…通信情報取得部、３９…通信情報印刷部（印刷部）、４０…動作モード設定部、４５…ステータスシート。
【図１】
2018137657.tif 000003
【図２】
2018137657.tif 000004
【図３】
2018137657.tif 000005
【図４】
2018137657.tif 000006
【図５】
2018137657.tif 000007